(57)【要約】【課題】フリック操作を見極め易くすることが可能なタッチ操作型入力装置を提供すること。【解決手段】タッチ操作について、操作量がしきい値よりも大きいとともにタッチ時間がしきい値よりも小さい場合にフリック操作と判定することを前提とする。制御部は、最上段のリスト５１の選択状態で上側（奥側）へのタッチ操作が検出されたことを条件に、操作量のしきい値を下げることと同時にタッチ時間のしきい値を上げるしきい値変更制御を行う。これにより、フリック操作と判定され易くなり、前頁へのリストの切り替えが円滑に行われる。【選択図】図４
2014132414.tif 000002
【特許請求の範囲】
【請求項１】
タッチ操作による入力の行われるタッチ操作型入力装置において、
前記タッチ操作について、当該操作の継続時間がタッチ時間として規定されるとともに、当該操作による移動量が操作量として規定され、
画面に表示された複数のリストのうち、当該画面の端部に表示されたリストに選択位置のある状態で、この選択位置が前記画面の端部から当該画面の外側に向かう方向に対応する方向へのタッチ操作が検出されたことを条件に、当該タッチ操作がフリック操作であるか否かを判定するための前記操作量のしきい値であって、このしきい値よりも大きな操作量のタッチ操作が検出された場合にフリック操作と判定するときの当該しきい値を下げる変更手段を備える
ことを特徴とするタッチ操作型入力装置。
【請求項２】
前記変更手段は、前記条件を満たすとき、前記操作量のしきい値を下げることと同時に前記タッチ時間のしきい値を上げる
請求項１に記載のタッチ操作型入力装置。
【発明の詳細な説明】
【技術分野】
【０００１】
本発明は、タッチ操作による入力の行われるタッチ操作型入力装置に関する。
【背景技術】
【０００２】
特許文献１には、タッチ操作やボタン操作の行われる操作部と、操作部への操作を電気的に処理する制御部と、制御部による制御のもと操作部への操作の反映された画面を表示する表示部とによって構成された車両用のディスプレイシステムについて開示されている。
【０００３】
操作部はドライバにとって操作し易い場所として規定される例えばセンターコンソールに配置されるとともに、表示部はドライバや同乗者にとって視認し易い場所として規定される例えばセンタークラスタパネルに配置される。表示部の画面上には複数の選択項目（リスト）が表示されるとともに、画面上の選択位置がカーソルによって示唆される構成では、ドライバが操作部をタッチ操作しつつ画面上のカーソルを所望のリストの表示領域へ移動させることで、当該リストが選択される。その後、この選択を決定する操作を行うことで、上記リストに関連付けされた動作、例えば当該リストに関わる別の階層の画面表示や車両設備の操作が実行される。
【先行技術文献】
【特許文献】
【０００４】
【特許文献１】特開２００１−３２５０７２号公報
【発明の概要】
【発明が解決しようとする課題】
【０００５】
タッチ操作による入力には、カーソルをリスト一個分ずつ送る「ポインタ移動」とタッチした指をはじく「フリック操作」とがあるが、これらは操作の軌跡が似ているため切り分けが困難である。なぞり操作による「ポインタ移動」と「フリック操作」の切り分けを行うための判定しきい値を「ポインタ移動」が優先となるように設定すると「フリック操作」の見極めが困難となる。
【０００６】
本発明は、このような問題点に着目してなされたものであって、その目的は、フリック操作を見極め易くすることが可能なタッチ操作型入力装置を提供することにある。
【課題を解決するための手段】
【０００７】
上記課題を解決するタッチ操作型入力装置は、タッチ操作による入力の行われるタッチ操作型入力装置において、前記タッチ操作について、当該操作の継続時間がタッチ時間として規定されるとともに、当該操作による移動量が操作量として規定され、画面に表示された複数のリストのうち、当該画面の端部に表示されたリストに選択位置のある状態で、この選択位置が前記画面の端部から当該画面の外側に向かう方向に対応する方向へのタッチ操作が検出されたことを条件に、当該タッチ操作がフリック操作であるか否かを判定するための前記操作量のしきい値であって、このしきい値よりも大きな操作量のタッチ操作が検出された場合にフリック操作と判定するときの当該しきい値を下げる変更手段を備えることをその要旨としている。
【０００８】
この構成によれば、しきい値よりも大きな操作量のタッチ操作が検出された場合にフリック操作と判定することを前提に、このしきい値を下げることで小さな操作量でもフリック操作と判定されるようになる。したがって、フリック操作を見極め易くすることができる。尚、しきい値を下げるのは、画面の端部に表示されたリストに選択位置のある状態で、この選択位置が画面の端部から当該画面の外側に向かう方向に対応する方向へのタッチ操作が検出されたときに限られる。そして、この操作が画面上のリストを切り替えるために必要なフリック操作として規定される場合には、当該操作がフリック操作と判定され易くなるため、リスト切り替えが円滑に行われる。したがって、操作性を向上することができる。
【０００９】
上記タッチ操作型入力装置について、前記変更手段は、前記条件を満たすとき、前記操作量のしきい値を下げることと同時に前記タッチ時間のしきい値を上げることとしてもよい。
【００１０】
この構成によれば、操作量がしきい値よりも大きいとともにタッチ時間がしきい値よりも小さいタッチ操作が検出された場合にフリック操作と判定することを前提に、操作量のしきい値を下げるとともにタッチ時間のしきい値を上げることでフリック操作がより見極め易くなる。
【発明の効果】
【００１１】
本発明によれば、フリック操作を見極め易くすることができる。
【図面の簡単な説明】
【００１２】
【図１】タッチ操作型入力装置の構成要素を示すブロック図。
【図２】複数のリストが表示部の画面上に表示された様子を示す平面図。
【図３】フリック操作を判定する処理を示すフローチャート。
【図４】フリック操作と判定され易くなる一つ目の条件を示す概念図。
【図５】フリック操作と判定され易くなる二つ目の条件を示す概念図。
【発明を実施するための形態】
【００１３】
以下、タッチ操作型入力装置の一実施の形態について説明する。
図１に示すように、タッチ操作型入力装置１は、操作性を考慮してセンターコンソールに配置される操作部２と、操作部２に対する操作を電気的に処理する制御部３と、視認性を考慮してセンタークラスタパネルに配置されるとともに、制御部３による制御のもと操作部２に対する操作の反映された画面を表示する表示部４とを備えている。このタッチ操作型入力装置１は、エアコン、カーナビ、オーディオ等の車両設備の操作に必要な情報の入力を主にタッチ操作を通じて行うものである。
【００１４】
操作部２は操作面であるタッチパッドを有し、このタッチパッド上でのタッチ操作による入力を示すデータを所定の通信周期時間毎に制御部３に送信する。このデータには操作位置や操作量が含まれる。操作部２に対する操作には、タッチパッド上を指で触れるタッチ操作と、このタッチ操作による入力を通じて画面上で選択した項目を決定するためにタッチパッドの全体を軽く押し込むプッシュ操作とが含まれる。この操作に伴い操作部２からはプッシュ信号が送信される。制御部３はＥＣＵ（Electronic Control Unit ）によって構成され、操作部２に対する操作を反映した表示制御を行うとともに、プッシュ操作を伴って決定された項目を示す入力信号を車両設備に送信する。この入力信号は車両設備での制御に反映される。表示部４は例えば液晶による画面を有し、この画面上には複数の選択項目（リスト）が表示されるとともに、画面上の選択位置がカーソルによって示唆される。
【００１５】
図２に示すように、表示部４の画面上には、複数のリスト４１〜４６が表示されるとともに、右列中段のリスト４５の表示領域には、画面上の選択位置を示唆するポインタカーソル４７が表示されている。このとき、リスト４５の外縁が太枠による選択ボタンカーソル４８によって強調され、これにより、リスト４５の選択状態が示唆される。この状態で操作部２のタッチパッドが軽く押し込まれると、リスト４５の選択が決定され、これに関連付けされた動作、例えば当該リスト４５に関わる別の階層の画面表示や車両設備の操作が実行される。
【００１６】
リスト４５の選択状態から右列下段のリスト４６を選択する場合には、操作部２のタッチパッド上を指で軽く手前側になぞるタッチ操作を行う。同様に、右列上段のリスト４４を選択する場合には指を奥側になぞり、また、左列中段のリスト４２を選択する場合には指を左側になぞり、左列上段のリスト４１を選択する場合には指を斜め左奥側になぞる。すなわち、タッチパッド上をタッチ操作しつつ画面上のポインタカーソル４７を所望のリストの表示領域へ移動させることで、当該リストが選択される。このリストの選択を決定する場合にはタッチパッドを軽く押し込む。
【００１７】
タッチパッド上を指でなぞるタッチ操作には、ポインタカーソル４７をリスト一個分ずつ送る「ポインタ移動」とタッチした操作をはじく「フリック操作」とがある。フリック操作はポインタカーソル４７をリスト複数個分に亘って一度に送る操作として規定され、例えば、左列上段のリスト４１の選択状態から左列下段のリスト４３或いはさらに下側（次の頁の画面）に属するリストを選択する場合には、このフリック操作を行う。制御部３は、操作部２からのデータを解析しつつ、「ポインタ移動」と「フリック操作」といった操作軌跡の似通った二つの操作を切り分ける。
【００１８】
図３に示すように、制御部３は、ステップＳ１において、タッチ操作の継続時間として規定されるタッチ時間がしきい値Ｔ１よりも小さいか否かを判断するとともに、ステップＳ２において、タッチ操作による移動量として規定される操作量がしきい値Ｍ１よりも大きいか否かを判断する。フリック操作では通常、短時間のうちに指が大きく移動される。これを踏まえて制御部３は、タッチ時間がしきい値Ｔ１よりも小さく、且つ、操作量がしきい値Ｍ１よりも大きいとき、ステップＳ３において、フリック操作と判定するとともに、ステップＳ４において、フリック方向を計算する。その結果、フリック方向に対応する方向の先にあるリストの属する画面が表示される。例えば、フリック方向が手前側に向かう方向のとき次頁の画面が表示され、フリック方向が奥側に向かう方向のとき前頁の画面が表示される。尚、ステップＳ１或いはステップＳ２において否定判断すると、制御部３は、ステップＳ５において、ポインタ移動と判定する。その結果、ポインタ移動の方向に対応する方向の先にある隣のリストの選択状態が得られる。
【００１９】
次に、タッチ操作型入力装置１の作用について説明する。
図４に示すように、表示部４の画面上に表示された複数のリスト５１〜５５のうち、最上段のリスト５１に選択位置（ポインタカーソルを割愛）のある状態（選択ボタンカーソル５６による強調）で、この選択位置が画面の上側に向かう方向に対応する方向へのタッチ操作が操作部２のタッチパッド上で行われた場合を想定する。この場合、ユーザの立場からすると、現在の画面に属するリスト５１〜５５ではなく、最上段のリスト５１よりも上側（前の頁の画面）に属するリストを選択するために、現在の画面から前頁の画面への切り替えを意図するフリック操作を行ったと考えられる。この意図を酌んで今回の操作がフリック操作と判定され易くなるよう、この場合、操作量のしきい値が上記しきい値Ｍ１から当該しきい値Ｍ１よりも小さなしきい値Ｍ２に下げられる。また、これと同時に、タッチ時間のしきい値が上記しきい値Ｔ１から当該しきい値Ｔ１よりも大きなしきい値Ｔ２に上げられる。これにより、最上段のリスト５１の選択状態で上側（奥側）へのタッチ操作が検出されたことを条件に、操作量のしきい値を下げることと同時にタッチ時間のしきい値を上げるしきい値変更制御が制御部３によって行われる。その結果、図３の処理が行われる過程において、フリック操作と判定され易くなり、前頁へのリストの切り替えが円滑に行われる。
【００２０】
尚、前頁へのリストの切り替えは、画面右側上部に表示された上向き三角印によるリスト切り替えボタン５７に選択位置を合わせつつタッチパッドを軽く押し込むことでも実現される。すなわち、上記フリック操作は、このリスト切り替えボタン５７によるリスト切り替えの代替となる。
【００２１】
図５に示すように、表示部４の画面上に表示された複数のリスト５１〜５５のうち、最下段のリスト５５に選択位置（ポインタカーソルを割愛）のある状態（選択ボタンカーソル５６による強調）で、この選択位置が画面の下側に向かう方向に対応する方向へのタッチ操作が操作部２のタッチパッド上で行われた場合を想定する。この場合、ユーザの立場からすると、現在の画面に属するリスト５１〜５５ではなく、最下段のリスト５５よりも下側（次の頁の画面）に属するリストを選択するために、現在の画面から次頁の画面への切り替えを意図するフリック操作を行ったと考えられる。この意図を酌んで今回の操作がフリック操作と判定され易くなるよう、この場合も、操作量のしきい値がしきい値Ｍ１からしきい値Ｍ２に下げられる。また、これと同時に、タッチ時間のしきい値がしきい値Ｔ１からしきい値Ｔ２に上げられる。これにより、最下段のリスト５５の選択状態で下側（手前側）へのタッチ操作が検出されたことを条件に、操作量のしきい値を下げることと同時にタッチ時間のしきい値を上げるしきい値変更制御が制御部３によって行われる。その結果、図３の処理が行われる過程において、フリック操作と判定され易くなり、次頁へのリストの切り替えが円滑に行われる。
【００２２】
尚、次頁へのリストの切り替えは、画面右側下部に表示された下向き三角印によるリスト切り替えボタン５８に選択位置を合わせつつタッチパッドを軽く押し込むことでも実現される。すなわち、上記フリック操作は、このリスト切り替えボタン５８によるリスト切り替えの代替となる。
【００２３】
以上説明したように、本実施の形態によれば、以下の効果を奏することができる。
（１）画面の端部に表示されたリストに選択位置のある状態で、この選択位置が画面の端部から当該画面の外側に向かう方向に対応する方向へのタッチ操作が検出されたことを条件に、操作量のしきい値がしきい値Ｍ１からしきい値Ｍ２に下げられる。これにより、小さな操作量でもフリック操作と判定されるようになる。したがって、フリック操作を見極め易くすることができる。
【００２４】
（２）しきい値Ｍ１を下げるのは、画面の端部に表示されたリストに選択位置のある状態で、この選択位置が画面の端部から当該画面の外側に向かう方向に対応する方向へのタッチ操作が検出されたときに限られる。本例のように、この操作が画面上のリストを切り替えるために必要なフリック操作として規定される場合には、当該操作がフリック操作と判定され易くなるため、リスト切り替えが円滑に行われる。したがって、操作性を向上することができる。
【００２５】
（３）上記（１）の条件を満たすとき、操作量のしきい値がしきい値Ｍ１からしきい値Ｍ２に下げられることと同時にタッチ時間のしきい値がしきい値Ｔ１からしきい値Ｔ２に上げられる。これにより、フリック操作がより見極め易くなる。
【００２６】
尚、上記実施の形態は、次のように変更して具体化することも可能である。
・例えば図４を援用して、フリック操作と判定したとき、操作量に応じた数だけリストを送るとともに、その送った先のリストに選択位置のある画面を表示する構成でもよい。すなわち、頁単位で画面を切り替える代わりに、リスト単位で画面を切り替えてもよい。
【００２７】
・例えば図４、図５を援用して、画面の端部に表示されたリストに選択位置のある状態で、この選択位置が画面の端部から当該画面の内側に向かう方向に対応する方向へのフリック操作が検出されたとき、画面の端部に表示されていたリストが当該画面の端部よりも内側に表示されつつ、このリストよりも外側のリストが画面の端部に新たに表示される画面を表示する構成でもよい。
【００２８】
・例えば図４、図５を援用して、画面の端部に表示されたリストに選択位置のある状態で、この選択位置が画面の端部から当該画面の外側に向かう方向に対応する方向へのフリック操作が検出されたとき、画面の端部に表示されていたリストの表示が消去されつつ、このリストの表示されていた画面の端部とは反対側の端部のリストが当該端部よりも内側に表示されるとともに、このリストよりも外側のリストが画面の端部に新たに表示される画面を表示する構成でもよい。
【００２９】
・タッチパッドは静電式、感圧式など方式を問わない。
・ポインタカーソルの表示を伴わない構成でもよい。
・太枠による選択ボタンカーソルに代えて又は加えて、色の違いによって選択状態のリストを強調する構成でもよい。
【００３０】
・選択の決定方法はプッシュ操作に限らない。
次に、上記実施の形態及び別例から把握できる技術的思想について記載する。
（イ）タッチ操作型入力装置において、フリック操作と判定したとき、操作量に応じた数だけリストを送るとともに、その送った先のリストに選択位置のある画面を表示部に表示させる制御部を備えること。
【００３１】
（ロ）タッチ操作型入力装置において、画面の端部に表示されたリストに選択位置のある状態で、この選択位置が前記画面の端部から当該画面の内側に向かう方向に対応する方向へのフリック操作が検出されたとき、前記画面の端部に表示されていたリストが当該画面の端部よりも内側に表示されつつ、このリストよりも外側のリストが画面の端部に新たに表示される画面を表示部に表示させる制御部を備えること。
【００３２】
（ハ）タッチ操作型入力装置において、画面の端部に表示されたリストに選択位置のある状態で、この選択位置が前記画面の端部から当該画面の外側に向かう方向に対応する方向へのフリック操作が検出されたとき、前記画面の端部に表示されていたリストの表示が消去されつつ、このリストの表示されていた前記画面の端部とは反対側の端部のリストが当該端部よりも内側に表示されるとともに、このリストよりも外側のリストが画面の端部に新たに表示される画面を表示部に表示させる制御部を備えること。
【符号の説明】
【００３３】
１…タッチ操作型入力装置、２…操作部、３…制御部（変更手段）、４…表示部、４１〜４６…リスト、４７…ポインタカーソル、４８…選択ボタンカーソル、５１〜５５…リスト、５６…選択ボタンカーソル、５７…リスト切り替えボタン、５８…リスト切り替えボタン。
【図１】
2014132414.tif 000003
【図２】
2014132414.tif 000004
【図３】
2014132414.tif 000005
【図４】
2014132414.tif 000006
【図５】
2014132414.tif 000007